(57)【要約】【課題】  半導体レーザと光ファイバを有する光学装置において、光ファイバ入出射端面の汚染対策、気密性の確保を実現する。【解決手段】  半導体レーザから出射されるレーザ光を、光ファイバに入射させて出力する光学装置において、光ファイバの光入射側端部は半導体レーザから発した光を前記光ファイバに入射した半導体レーザモジュール部を構成し、前記光ファイバの光出射端部は単数本あるいは複数本の前記光ファイバを配列させた光ファイバアレイ部を形成し、前記光ファイバアレイ部の出射端は、アレイキャップによって前記出射端が気密封止され、前記アレイキャップの内部には、前記光ファイバアレイおよび前記アレイキャップの構造材から発生する物質を吸着させる作用を有する吸着剤を具備した光学装置とする。【選択図】  図１
2006284653.tif 000002
【特許請求の範囲】
【請求項１】
半導体レーザから出射されるレーザ光を、光ファイバに入射させて出力する光学装置において、
光ファイバの光入射側端部は半導体レーザから発した光を前記光ファイバに入射した半導体レーザモジュール部を構成し、前記光ファイバの光出射端部は単数本あるいは複数本の前記光ファイバを配列させた光ファイバアレイ部を形成し、前記光ファイバアレイ部の出射端は、アレイキャップによって前記出射端が気密封止され、前記アレイキャップの内部には、前記光ファイバアレイおよび前記アレイキャップの構造材から発生する物質を吸着させる作用を有する吸着剤を具備していることを特徴とする光学装置。
【請求項２】
前記アレイキャップは、前記光ファイバアレイ出射光を透過させるための光透過材、および気密封止作用を有するリング形状部材を具備していることを特長とする請求項１記載の光学装置。
【請求項３】
前記アレイキャップと前記光透過材とは、接着あるいは溶融接合により組立てられていることを特長とする請求項２記載の光学装置。
【請求項４】
前記アレイキャップと前記光透過材との接着においては、エポキシ系樹脂を用いていることを特長とする請求項３記載の光学装置。
【請求項５】
前記リング形状部材は、フッ素系材を用いていることを特長とする請求項２記載の光学装置。
【請求項６】
前記アレイキャップは、前記光ファイバアレイ出射光を透過させるための光透過材を具備しており、該アレイキャップは抵抗加熱手段を用いることにより前記光ファイバアレイ部を気密封止していることを特長とする請求項１記載の光学装置。
【請求項７】
前記アレイキャップと前記光透過材とは、溶融接合により組立てられていることを特長とする請求項６記載の光学装置。
【請求項８】
前記吸着剤は、多孔質のフッ素系シートで被われた活性炭、あるいは除湿剤を含むものであることを特徴とする請求項１記載の光学装置。
【請求項９】
前記半導体レーザの発振波長は、４５０ｎｍ以下であることを特徴とする請求項１記載の光学装置。
【発明の詳細な説明】
【技術分野】
【０００１】
本発明は、光学装置に関するものである。
【背景技術】
【０００２】
レーザプリンタ、レーザファクシミリ等のレーザ走査型画像形成装置において、近年、高速・高解像度化を実現するための手段として、複数の光ビームによって感光体等の被走査面上に複数の走査線を同時に形成させるマルチビーム走査光学系が必須になっている。
【０００３】
マルチビームにより複数の走査線を形成する手段としては、光源として複数の半導体レーザを用い、偏光ビームスプリッター等により各半導体レーザからの光ビームを合成するビーム合成方式、光源として複数の発光点を有する半導体レーザアレイを用いる方式、各々独立した半導体レーザから発した光を光ファイバに入射する半導体レーザモジュールを備え、他方、光ファイバの光出射側先端は、互いに近接させ一列に配列して形成した光ファイバアレイ部を形成し、この光ファイバアレイ部を光源とする光ファイバアレイ方式等の光学装置がよく知られている。
【０００４】
このうち、光ファイバアレイ方式の光学装置は、市中の汎用半導体レーザを用いることができることに加え、光ファイバの先端をアレイ化することにより容易にビーム本数を増やすことができるという長所がある。このため、現時点では短波長・高出力のＧａＮ系青色半導体レーザアレイ等は製造が難しく歩留まりも悪いため入手困難であるが、上述の方法を用いることで短波長のレーザを用いたマルチビーム走査光学系を容易に実現することができる。
【０００５】
しかし、短波長・高出力の青色半導体レーザと光ファイバを組み合わせた場合、レーザ光を数ミクロンの微少スポットに絞り込む必要があるため、レーザの透過部に汚染物質が付着して、光学系全体の光利高効率の低下、出射ビームプロファイルの劣化を引き起こす。汚染物資が付着する現象は、特にレーザ光が微少スポットに絞り込まれた光ファイバの入出射端において顕著にあらわれる。（例えば特許文献１，２，３）
このため、光ファイバの入出射端面を外気と遮断、密封し、周囲の雰囲気中に存在する汚染物質をフィルタ等で付着、吸着させる方法を述べている。
【０００６】
しかしながら、従来技術では、半導体レーザモジュール側の外気との遮断、密封方法であり光ファイバ出射端側に関する記載はない。また、光ファイバ出射端面の保護手段は記載されているが、具体的な製造・組立プロセス、および製造・組立プロセスに際して使用する部材に関する記述がなされていないため、外気との遮断、密封の信頼性は不明であり、実現性において次の懸念が生じる。
【０００７】
装置が高地あるいは低地で用いられる時には、光ファイバ出射部の密封箇所に外気と内部との圧力差が生じ、密封部の漏れが生じた場合、外部から汚れの原因となる物質が流入する可能性がある。
【０００８】
同様に、密封部の漏れが生じた場合、外気の湿度が高い時に、湿気が流入し、外気の湿度が低くなっても流入した湿気が内部に留まり、環境温度の変化で水分が露となって、光ファイバ出射光強度低下、出射ビームプロファイルの劣化が生じる。
【０００９】
また、従来例においては、吸着剤からの粉末が飛散し、光学系を汚染させ、光利用効率を劣化させる懸念があることも課題であった。さらに、光ファイバ出射部の気密方法に関する記述はあるが、気密性を保持した状態で光ファイバ出射以後の光学系に組込み方法、また、組込み後の光学系調整方法、調整機構に関する記載は無く、実現性に課題がある。
【００１０】
【特許文献１】特開平８−２３６６６０号公報
【００１１】
【特許文献２】特開２００３−１０１１１６号公報
【００１２】
【特許文献３】特開２００４−１２８０５８号公報
【発明の開示】
【発明が解決しようとする課題】
【００１３】
本発明は、上記課題に鑑みなされたもので、光ファイバ出射端面の汚染対策として光ファイバ出射端の気密構造を提示し、また、同時に気密性を壊すことなく光ファイバ部の光学系調整が可能な調整機構を具備した光デバイスを提示することで、光ファイバ出射光強度変化の低減、出射ビームプロファイルの安定化を図った信頼性の高い光学光装置を実現することである。
【課題を解決するための手段】
【００１４】
半導体レーザから出射されるレーザ光を、光ファイバに入射させて出力する光学装置において、光ファイバの光入射側端部は半導体レーザから発した光を前記光ファイバに入射した半導体レーザモジュール部を構成し、前記光ファイバの光出射端部は単数本あるいは複数本の前記光ファイバを配列させた光ファイバアレイ部を形成し、前記光ファイバアレイ部の出射端は、アレイキャップによって前記出射端が気密封止され、前記アレイキャップの内部には、前記光ファイバアレイおよび前記アレイキャップの構造材から発生する物質を吸着させる作用を有する吸着剤を具備している光学装置とする。
【発明の効果】
【００１５】
半導体レーザと光ファイバアレイを用いた光学装置において、外部環境の変化に対しても光ファイバ出射端面の汚染を防止することのできる光学装置を提供できる。
【発明を実施するための最良の形態】
【００１６】
半導体レーザと光ファイバを用いたビーム走査光学系において、外部環境の変化に対して光ファイバ出射光強度変化の低減、出射ビームプロファイルの安定化、光ファイバ出射部とコリメータレンズの芯出し、ビーム形状整形、光軸回り回転調整の容易化、という目的を、光ファイバアレイ部の構成を大幅に変更すること無く簡易な方法で実現した。
【００１７】
以下、全体的な本実施例の全体的構成を説明する。
【００１８】
ビーム発生光源から発したレーザ光を、光学系を介して被走査媒体にスポット列として結像させ、スポット列を前記被走査媒体面上で一括走査することにより光記録を行なうビーム走査型光記録装置において、前記ビーム発生光源は、以下に説明するレンズユニットが用いられる。光ファイバ入射端は、半導体レーザから発した光を光ファイバに入射する半導体レーザモジュール部を形成し、他方、光ファイバの光出射端は、単数本あるいは複数本の光ファイバを配列した光ファイバアレイを形成している。光ファイバアレイ部の出射端は、アレイキャップによって出射端が気密封止されており、アレイキャップの内部には、前記光ファイバアレイ、および前記アレイキャップの構造材から発生する物質を吸着させる作用を有する吸着剤を具備する。この際、前記吸着剤は、多孔質のフッ素系シートで被われた活性炭、あるいは除湿剤を含むものとする。光ファイバアレイ、アレイキャップ、およびアレイキャップを出射したビームの形状を整形する機能を有するレンズは、レンズユニットを構成する。この際、前記レンズユニットにおいて、アレイキャップとレイキャップを出射したビームを整形するためのレンズまでの空間も、レンズユニットの構造材から発生する物質を吸着させる作用を有する吸着剤を具備した気密構造としても良い。上記レンズユニットは、光ファイバアレイとレンズとの芯出し、アレイキャップを出射したビームの形状整形、光ファイバアレイ部の光軸回り回転調整を行う機構部を具備し、この機構部により光ファイバアレイ部の気密性を損なうことなく芯出し、ビーム形状調整、光軸回り回転調整を可能としている。なお、アレイキャップは、光ファイバアレイ出射光を透過させるための光透過材、および気密封止作用を有するフッ素系材からなるリング形状部材を具備しており、アレイキャップと光透過材とは、熱硬化性エポキシ系樹脂を用いた接着あるいは溶融接合により組立てられている。もしくは、前記アレイキャップは、光ファイバアレイ出射光を透過させるための光透過材を具備しており、アレイキャップと光透過材とは、溶融接合により組立てられ、アレイキャップは抵抗加熱手段を用いることにより光ファイバアレイ部を気密封止する。
【００１９】
以下、本発明の実施例について図を用いて説明する。
【実施例１】
【００２０】
図２は、本発明装置の光記録装置の光学系全体図を示す。
【００２１】
図２の１〜５は、半導体レーザモジュール部で、各半導体レーザモジュールの内部は、各々独立した複数個の半導体レーザと半導体レーザから発した光を個々の半導体レーザに対応する光ファイバ６〜１０に入射するためのカップリング光学系により構成される。半導体レーザは、発振波長４０５ｎｍのレーザ光を放射し、光ファイバ６〜１０にはシングルモード光ファイバが使用される。光ファイバ６〜１０の光出射側先端は、互いに近接させ一列に配置した光ファイバアレイ部１１を形成している。以上の構成を光学装置と呼ぶことにする。
【００２２】
個々の半導体レーザは、コントローラからの画像データ信号１２にしたがってレーザドライバ１３〜１７を駆動させることで、光ファイバアレイ部１１の先端からはそれぞれ独立に変調された個々のビーム１８を出射する。図２では便宜上５本ビームとしている。
【００２３】
光ファイバアレイ部１１と光ファイバアレイ部１１から出射したビームの形状を整形してコリメート光とするためのレンズ１１と非図示のその他の部材により構成されるレンズユニットをビーム発生光源として用いる。
【００２４】
なお、図２では煩雑をさけるためにレンズユニットは非図示としており、後に詳しく説明する。
【００２５】
レンズ１９でコリメートされ、レンズ２０に入射したビームは、レンズ２０とレンズ２１とで構成されるビームエキスパンダによりビーム幅が拡大された平行光に変換される。レンズ２１を出射した光は、その後、副走査方向にのみパワーを有するシリンダレンズ２２を透過後、回転多面鏡２３、走査レンズ２４により、被走査媒体２５上にスポット列として結像され、個々に変調されたスポットが走査することにより被走査媒体２５上に光記録が行われる。この際、被走査媒体２５上に結像される複数の結像スポット２６〜３０は、それぞれの結像スポットが形成する走査線が互いに密接するように斜め角度を持たせている。この斜め角度は、光ファイバアレイ部１１を光軸回りに回転調整することにより設定される。回転多面鏡２３の前に配置されたシリンダレンズ２２は、回転多面鏡２３の回転時の揺動による走査線の副走査方向のずれをなくすためのもので、それぞれのビームを回転多面鏡２３の面上に副走査方向に絞り込んでいる。
【００２６】
図３と図４が、図２に示した光学系の部品配置位置の詳細を示す図で、図３は回転多面鏡２３の回転面内の光学系、すなわち被走査媒体２５上で主走査方向の光学系である。図４は、それとは垂直方向からみた光学系、すなわち副走査方向の光学系である。なお、図３、図４において、煩雑を避けるために、ビーム数は３本で示してある。
【００２７】
図３、図４において、レンズ１９、レンズ２０、レンズ２１、レンズ２２の焦点距離をそれぞれｆｃｏｌ、ｆＬ１、ｆＬ２、ｆｃｙｌとするとき、光ファイバアレイ部１１とコリメータレンズ１９の間隔はｆｃｏｌ、コリメータレンズ１９とレンズ２０の間隔はｆｃｏｌ＋ｆＬ１、レンズ２０とレンズ２１の間隔は、（ｆＬ１＋ｆＬ２）、レンズ２１と回転多面鏡２３の間隔は概略ｆＬ２に配置されている。このように配置することによって、図３において、光ファイバアレイ部１１から平行に発した各レーザ光の主光線を、レンズ２０出射後に再び平行とし、レンズ２１を照射させる。その後、レンズ２１を出射した各ビームの主光線を回転多面鏡２３上で概略一致させる。こうすることで、複数のビームを用いた場合でも回転多面鏡２３の大きさを大きくする必要はなく、従来のものを用いることができる。
【００２８】
図１、および図５から図１２を用いて光ファイバアレイ部１１からレンズ１９間の詳細について説明する。
【００２９】
図１、および図５から図１２は、図２に示した光記録装置の光学系で用いられている光ファイバアレイ部１１からレンズ１９までを構成するレンズユニットの断面構造説明図である。
【００３０】
まず、図５、図６に示すように、光ファイバアレイ部１１は、光ファイバアレイ保持具３１上に保持される。光ファイバアレイ保持具３１の光ファイバアレイ先端部４４が突出する部分には、図６に示すようにアレイキャップ３３を被せるための嵌合穴３２が設けられている。この嵌合穴３２に、光ファイバアレイ先端部４４が突出しており、一方、光ファイバアレイ保持具３１と光ファイバアレイ１１の隙間は、耐湿性のエポキシ樹脂３４が充填されており、外気から遮断されている。耐湿性のエポキシ樹脂３４としては米国エポキシテクノロジー社のＥＰＯＴＥＫシリーズのエポキシ樹脂等がある。
【００３１】
つぎに、光ファイバアレイ保持具３１の嵌合穴３２に取付けられるアレイキャップ３３について説明する。アレイキャップ３３は、図７に示すように、鍔部３７の付いた円管形状をしており、嵌合穴３２への挿入部には第１のリング形状部材３５が、反対側の端面には、光ファイバアレイ１１を出射したビームを透過させる光透過材３６が取付けられている。光透過材３６の材料としては石英ガラス等のガラス材を用いることができる。第１のリング形状部材３５の材質は、例えばＰＴＦＥ（ポリフルオロテトラエチレン）等のフッ素系材が用いられる。フッ素系材は、化学的にも安定しており、また、部材から発するアウトガスも少ないため、リング形状部材３５から発生した物質とレーザ光が反応して光ファイバ端面が汚染するのを抑制ができる。一方、アレイキャップ３３への光透過材３６の取付けは、耐湿性のエポキシ樹脂を用いて貼り付ける、あるいは、光透過材３６にガラス材を用い、アレイキャップ３３の材質にコバール等のガラスと線膨張係数の近い部材を選択することによって融着接合する方法が用いられる。
【００３２】
アレイキャップ３３の別の形態としては、光ファイバアレイ１１を出射したビームを透過させる光透過材３６が取付けられ、鍔部３７の付いた、図１９に示すようなキャップ形状のものも用いられる。光透過材３６の材料としては石英ガラス等のガラス材を用いることができる。アレイキャップ３３への光透過材３６の取付けは、耐湿性のエポキシ樹脂を用いて貼り付ける、あるいは、光透過材３６にガラス材を用い、アレイキャップ３３の材質にコバール等のガラスと線膨張係数の近い部材を選択することによって融着接合する方法が用いられる。図１９に示すようなアレイキャップ３３を用いる場合、鍔部３７を光ファイバアレイ保持具３１に抵抗加熱接合によって取付けることができる。図２０にアレイキャップ３３が取付けられた光ファイバアレイ保持具３１の構造を示す。抵抗加熱接合箇所５０によりアレイキャップ３３と光ファイバアレイ保持具３１が接合されている。
【００３３】
光ファイバアレイ１１、アレイキャップ３３が装着された光ファイバアレイ保持具３１を図８に示す。
【００３４】
図８に示したような構造にすることにより、光ファイバアレイ先端部４４の外部からの気密性を向上することができる。フッ素系材のリング形状部材３５を用いる場合、一般に、２気圧以上の耐圧が確保できるので、仮に本光記録装置が高地あるいは低地で用いられ、光ファイバ出射部の密封箇所に外気と内部との圧力差が生じても、密封部の漏れが生じ、外部から汚れの原因となる物質が流入する危険を無くすことができる。
【００３５】
なお、アレイキャップ３３を光ファイバアレイ保持具３１に装着する際には、アレイキャップ３３の内部に吸着剤３８を配置する。この吸着剤３８は、アレイキャップ３３内部の構造材から発する微量なガスを有効に吸着することで、レーザ光と反応したガス成分が光ファイバ出射端面等の光学部品を汚染する課題を防ぐことが目的である。
【００３６】
図１３は、吸着材３８の断面構造を示したものである。活性炭４５がサブミクロンの穴径をもつ多孔質のフッ素系シート４６、および底面シート４７で被われている。多孔質のフッ素系シート４６は空気を通過させることできるが、内部の活性炭が外部に飛び出ることを防いでいる。底面シート４７は空気を通さないシートであり、粘着材が裏面に塗られているので、図７、図８で示したアレイキャップ３３の内壁に貼り付けることができるようになっている。なお、吸着剤として用いるのは活性炭３８だけでなく、代替品として、湿気に有効なシリカゲルそのもの、あるいはそれを混ぜたものであっても良いし、他の合成材料であっても良い。こうすることによって、初期状態において密封空間の湿度が高い場合であっても、密封空間の除湿ができるので光ファイバ出射端の汚染を有効に防止できる。
【００３７】
光ファイバアレイ１１、アレイキャップ３３が装着された光ファイバアレイ保持具３１は、図９に示すように、ファイバレンズホルダ３９に、非図示のネジによって装着される。この際、後述するコリメータレンズ１９と光ファイバアレイ１１との光軸調整のために、光ファイバアレイ保持具３１とファイバレンズホルダ３９は、図中に示したｘｙｚ座標系におけるｘｙ面内で位置調整をした後、非図示のネジによって固定される。
【００３８】
つぎに、図９に示したファイバレンズホルダ３９は、図１０に示すように、先端部が台座４１の嵌合穴部４９に挿入され、図１１に示すような取付け状態となる。この状態でファイバレンズホルダ３９は、台座４１の嵌合穴部４９で光軸回り（ｚ軸回り）に回転調整できるようになっており、回転調整後に位置が固定される。
【００３９】
最後に、図１２に示すように、ファイバレンズホルダ３９に、鏡筒４２に隙間無く保持されたレンズ１９を挿入する。レンズ１９を挿入後は、図８に示した光ファイバアレイ保持具をｘｙ軸方向に調整して光ファイバアレイ１１とコリメータレンズ１９の芯出し調整、鏡筒４２を光軸方向（ｚ軸方向）に調整することで光ファイバアレイ１１を出射するビームの形状整形を行い、レンズユニット４８が完成する。完成後のコリメータレンズユニット４８を図１に示す。
【００４０】
図１に示したユニット構造にすることにとって、光ファイバアレイ１１の出射面は、アレイキャップ３３、第１のリング形状部材３５、光透過材３６によって外部から遮断されており、また、前記したように、ファアレイキャップ３３内には吸着剤３８が配置されているので光ファイバアレイ１１出射面の汚染に対する防止効果が得られる。なお、レンズユニット４８は先述したように、光軸回り回転機構を持っているので、図２に示した光記録装置において、光ファイバ出射部の気密性を損なうことなく、被走査媒体２５上の走査線間隔の調整を行うことができる。
【００４１】
以上説明したように、本発明によれば、光ファイバ出射端面を気密構造にし、なおかつ、内部に吸着材を配置することによって、波長４５０ｎｍ以下の短波長レーザを用いた場合でも、光ファイバ出射端面の汚染による光強度低下、ビームプロファイルの劣化等の課題を解消できる。同時に、上述した構造により、気密性を保持したままで光ファイバアレイ部１１とレンズ１９の芯出し、光ファイバアレイ出射ビームの形状整形等の光学系調整が可能になるので、画質の安定性に対して高信頼性の光記録装置を実現させることができる。
【実施例２】
【００４２】
本発明の第２の実施例を説明する。
【００４３】
第２の実施例において、図２から図８は実施例１と同じである。なお、実施例１に記述したように、図８に示したアレイキャップ３３取り付け後の光ファイバアレイ保持具３１は図２０に示したような形態であってもよい。
【００４４】
本発明の第２の実施例においては、図１４に示すように、光ファイバアレイ１１、アレイキャップ３３が装着された光ファイバアレイ保持具３１は、アレイキャップ３３の鍔部３８に第２のリング形状部材４０が取付けられ、ファイバレンズホルダ３９に、非図示のネジによって装着される。この際、後述するレンズ１９と光ファイバアレイ１１との芯出し調整のために、光ファイバアレイ保持具３１とファイバレンズホルダ３９は、図中に示したｘｙｚ座標系におけるｘｙ面内で位置調整をした後、非図示のネジによって固定される。なお、図中に示したように、ファイバレンズホルダ３９内のアレイキャップ３３が突出している空間にも吸着剤３８を配置する。
【００４５】
つぎに、図１４に示したファイバレンズホルダ３９は、図１５に示すように、先端部が台座４１の嵌合穴部４９に挿入され、図１６に示すような取付け状態となる。この状態でファイバレンズホルダ３９は、台座４１の嵌合穴部４９で光軸回り（ｚ軸回り）に回転調整できるようになっており、回転調整後に位置が固定される。
【００４６】
最後に、図１７に示すように、ファイバレンズホルダ３９に、鏡筒４２に隙間無く保持され、鏡筒４２の側面に第３のリング形状部材４３が取付けられたレンズ１９を挿入する。レンズ１９を挿入後は、図８に示した光ファイバアレイ保持具をｘｙ軸方向に調整して光ファイバアレイ１１とレンズ１９の芯出し調整、鏡筒４２を光軸方向（ｚ軸方向）に調整してコリメート調整を行い、レンズユニット４８が完成する。完成後のレンズユニット４８を図１８に示す。
【００４７】
図１８に示したユニット構造にすることにとって、アレイキャップ３３部は、第２のリング形状部材４０、第３のリング形状部材４３、レンズ１９によって外部から遮断されており、前記したように、ファイバレンズホルダ３９内のアレイキャップ３３が突出している空間には吸着剤３８が配置されているので光透過材３６出射面の汚染に対する防止効果が得られる。なお、第２のリング形状部材４０、第３のリング形状部材４３の材質は、例えばＰＴＦＥ（ポリフルオロテトラエチレン）等のフッ素系材が用いられる。フッ素系材は、化学的にも安定しており、また、部材から発するアウトガスも少ないため、リング形状部材３５から発生した物質とレーザ光が反応して光ファイバ端面が汚染するのを抑制ができる。
【００４８】
これによって光ファイバアレイ１１の出射端部は二重に気密されることになり、遮断性を向上することができる。
【００４９】
なお、レンズユニット４８は先述したように、光軸回り回転機構を持っているので、図２に示した光記録装置において、光ファイバ出射部の気密性を損なうことなく、被走査媒体２５上の走査線間隔の調整を行うことができる。
【００５０】
以上説明したように、本発明によれば、光ファイバ出射端面を気密構造にし、なおかつ、内部に吸着材を配置することによって、波長４５０ｎｍ以下の短波長レーザを用いた場合でも、光ファイバ出射端面の汚染による光強度低下、ビームプロファイルの劣化等の諸問題を解消できる。同時に、上述した構造により、気密性を保持したままで光ファイバアレイ部１１とレンズ１９の芯出し、コリメート調整等の光学系調整が可能になるので、画質の安定に対して高信頼性の光記録装置を実現させることができる。
【００５１】
本発明は、使用するレーザの波長が特に４５０ｎｍ以下の短波長になった場合、レーザ光と外気に含まれる有機物との光化学反応が活発になる。このため、ビームを微少スポットに絞り込む必要のある光ファイバ等の光学部品を用いる際には、光ファイバ入出射端面の汚染対策、および前記対策を施した光ファイバ部の調整機構、調整方法も同時に案出する必要がある。
【００５２】
本実施例では、半導体レーザと光ファイバアレイを用いたビーム走査光学系において、外部環境の変化に対しても光ファイバ出射端面の汚染を防止し、また、同時に光ファイバアレイ出射部とビーム形状整形用レンズとの芯出し、光ファイバアレイ出射ビームの形状調整、および光ファイバアレイ部の光軸回り回転調整が可能になるので、光ファイバアレイ出射光強度変化の低減、出射ビームプロファイルの安定化を図った信頼性の高い光記録装置を実現できるという利点がある。
【００５３】
本実施例の光ファイバは、感光体，感光体の表面を帯電する帯電器，トナーなどの現像剤によって感光体上を可視化する現像機，感光体上のトナー像を用紙に転写する転写器，用紙の未定着トナー像を固着させる定着器を備えた電子写真装置の感光体の帯電後の表面を露光する光走査装置に用いることもできる。
【図面の簡単な説明】
【００５４】
【図１】レンズユニット組立後の断面図である。
【図２】光記録装置の光学系全体構成を示した説明図である。
【図３】光記録装置光学系のレンズ配置関係説明図である。
【図４】光記録装置光学系のレンズ配置関係説明図である。
【図５】レンズユニット組立プロセスの説明図である。
【図６】レンズユニット組立プロセスの説明図である。
【図７】レンズユニット組立プロセスの説明図である。
【図８】レンズユニット組立プロセスの説明図である。
【図９】レンズユニット組立プロセスの説明図である。
【図１０】レンズユニット組立プロセスの説明図である。
【図１１】レンズユニット組立プロセスの説明図である。
【図１２】レンズユニット組立プロセスの説明図である。
【図１３】吸着剤の断面図である。
【図１４】レンズユニット組立プロセスの説明図である。
【図１５】レンズユニット組立プロセスの説明図である。
【図１６】レンズユニット組立プロセスの説明図である。
【図１７】レンズユニット組立プロセスの説明図である。
【図１８】レンズユニット組立後の断面図である。
【図１９】レンズユニットの説明図である。
【図２０】レンズユニットの説明図である。
【符号の説明】
【００５５】
１，２，３，４，５…半導体レーザモジュール、６，７，８，９，１０，１１…光ファイバ、１１…光ファイバアレイ、１２…画像データ信号、１３，１４，１５，１６，１７…レーザドライバ、１８…光ファイバアレイ出射ビーム、１９，２０，２１…レンズ、２２…シリンダレンズ、２３…回転多面鏡、２４…走査レンズ、２５…被走査媒体、２６，２７，２８，２９，３０…結像スポット、３１…光ファイバアレイ保持具、３２…光ファイバアレイ保持具の嵌合穴、３３…アレイキャップ、３４…エポキシ樹脂、３５…第１のリング形状部材、３６…光透過材、３７…鍔部、３８…吸着剤、３９…ファイバレンズ保持具、４０…第２のリング形状部材、４１…台座、４２…レンズ鏡筒、４３…第３のリング形状部材、４４…光ファイバアレイ先端部、４５…活性炭、４６…多孔質フッ素系シート、４７…底面シート、４８…レンズユニット、４９…台座の嵌合穴部、５０…抵抗過熱接合箇所。
【図１】
2006284653.tif 000003
【図２】
2006284653.tif 000004
【図３】
2006284653.tif 000005
【図４】
2006284653.tif 000006
【図５】
2006284653.tif 000007
【図６】
2006284653.tif 000008
【図７】
2006284653.tif 000009
【図８】
2006284653.tif 000010
【図９】
2006284653.tif 000011
【図１０】
2006284653.tif 000012
【図１１】
2006284653.tif 000013
【図１２】
2006284653.tif 000014
【図１３】
2006284653.tif 000015
【図１４】
2006284653.tif 000016
【図１５】
2006284653.tif 000017
【図１６】
2006284653.tif 000018
【図１７】
2006284653.tif 000019
【図１８】
2006284653.tif 000020
【図１９】
2006284653.tif 000021
【図２０】
2006284653.tif 000022